(57)【要約】  釣り竿の管状竿に取り付けられて釣り糸を案内する釣り糸ガイドが提供される。釣り糸ガイド（１）は、環状の取付部（１ｂ）と、釣り糸が通るガイドリング（１２）と、金属製の薄板からなり取付部（１ｂ）と部分的に結合されてガイドリング（１２）を支持するリングサポート（１ａ）とを含む。リングサポート（１ａ）は、ガイドリング（１２）が結合されるリング保持孔（１０ａ）を有するリング保持部（１１）と、リング保持部（１１）と一体に形成されて取付部（１ｂ）に部分的に埋め込まれて取付部（１ｂ）と結合されるリング支持部（１３）とを含む。取付部（１ｂ）は、長さが５ｍｍ〜１０ｍｍであるカーボン長繊維を含むカーボン長繊維強化樹脂材料からインサート射出されて形成される。
2019142624.tif 000002
【特許請求の範囲】
【請求項１】
釣り竿の管状竿に取り付けられて釣り糸を案内する釣り糸ガイドであって、
環状の取付部と、
釣り糸が通るガイドリングと、
金属製の薄板からなり前記取付部と部分的に結合されて前記ガイドリングを支持するリングサポートと、を含み、
前記リングサポートは、前記ガイドリングが結合されるリング保持孔を有するリング保持部と、前記リング保持部と一体に形成されて前記取付部に部分的に埋め込まれて前記取付部と結合されるリング支持部と、を含み、
前記取付部は、前記リングサポートを金型内のインサートとして長さが５ｍｍ〜１０ｍｍであるカーボン長繊維を含むカーボン長繊維強化樹脂材料からインサート射出されて前記リングサポートの前記リング支持部を部分的に取り囲むように形成される、
釣り糸ガイド。
【請求項２】
前記カーボン長繊維は、前記カーボン長繊維強化樹脂材料の全重量の２０〜４０重量％を有する、
請求項１に記載の釣り糸ガイド。
【請求項３】
前記取付部は、前記管状竿の外周面に嵌合される環状体と、前記環状体の外周面に外側半径方向に突出するように形成された第１リブとを含む、
請求項１に記載の釣り糸ガイド。
【請求項４】
前記環状体は、前記釣り竿のバットに向かう後方方向に位置し、前記第１リブが形成された小外径部と、前記小外径部より大きい外径を有し、前記リング支持部の下側一部が埋め込まれる大外径部とを含む、
請求項３に記載の釣り糸ガイド。
【請求項５】
前記第１リブは、前記釣り竿のバットに向かう後方方向に前記小外径部の後端面まで延長するように形成される、
請求項４に記載の釣り糸ガイド。
【請求項６】
前記第１リブは、前記大外径部の外側半径方向の先端から前記小外径部の後端面に向かって傾斜するように形成された外周面を有する、
請求項４に記載の釣り糸ガイド。
【請求項７】
前記第１リブの外周面に含まれた長手方向の中心線は、前記釣り竿の中心軸と所定の角度を形成する、
請求項６に記載の釣り糸ガイド。
【請求項８】
前記第１リブは、前記釣り竿のバットに向かう前記第１リブの後端から前記釣り竿のチップに向かう前記第１リブの前端へ行くほど拡大する幅を有する、
請求項３に記載の釣り糸ガイド。
【請求項９】
前記取付部は、前記第１リブに対して周方向に離隔されるように配置され、前記環状体の外周面に外側半径方向にそれぞれ突出するように形成された第２及び第３リブをさらに含む、
請求項３に記載の釣り糸ガイド。
【請求項１０】
前記取付部の内周面には周方向に配列され前記釣り竿の中心軸の方向に延長する複数のセレーションが形成された、
請求項１に記載の釣り糸ガイド。
【請求項１１】
前記複数のセレーションは、先端にチップが形成されるように三角形状の断面を有する、
請求項１０に記載の釣り糸ガイド。
【請求項１２】
前記取付部は、周方向に沿って一定の厚さを有する下側取付部と、前記下側取付部の両先端から周方向に沿って厚さが増加するように構成された上側取付部と含む、
請求項１に記載の釣り糸ガイド。
【請求項１３】
釣り竿の管状竿に取り付けられて釣り糸を案内する釣糸ガイドであって、
釣り糸が通るガイドリングと、
前記ガイドリングを支持するガイド本体と、を含み、
前記ガイド本体は、
環状の取付部と、
前記ガイドリングを支持するリングサポートと、を含み、
前記リングサポートは、前記ガイドリングが結合されるリング保持孔を有するリング保持部と、前記取付部と前記リング保持部との間に形成されるリング支持部と、を含み、
前記ガイド本体は長さが５ｍｍ〜１０ｍｍであるカーボン長繊維を含むカーボン長繊維強化樹脂材料から一体に形成される、
釣り糸ガイド。
【請求項１４】
前記リング支持部には、前記リングサポートの幅方向の中心線を基準に対称する２つの開口が形成される、
請求項１３に記載の釣り糸ガイド。
【請求項１５】
前記リング支持部は、前記２つの開口の一部の縁をそれぞれ構成するように前記取付部の外周面から突出した２つの補強リブを含む、
請求項１４に記載の釣り糸ガイド。
【請求項１６】
前記取付部は、前記管状竿の外周面に嵌合される環状体と、前記釣り竿のチップに向かう前端が前記リング支持部と繋がるように前記環状体の外周面に外側半径方向に突出した第１リブとを含む、
請求項１３に記載の釣り糸ガイド。
【請求項１７】
前記第１リブは、前記釣り竿のバットに向かう後方方向に前記環状体の後端面まで延長するように形成される、
請求項１６に記載の釣り糸ガイド。
【請求項１８】
前記第１リブは、前記リング支持部の外側半径方向の先端から前記環状体の後端面に向かって傾斜するように形成された外周面を有し、
前記第１リブの外周面に含まれた長手方向の中心線は、前記釣り竿の中心軸と所定の角度を形成する、
請求項１７に記載の釣り糸ガイド。
【請求項１９】
前記取付部は、周方向に沿って一定の厚さを有する下側取付部と、前記下側取付部の両先端から周方向に沿って厚さが増加するように構成された上側取付部とを含む、
請求項１３に記載の釣り糸ガイド。
【請求項２０】
前記取付部の内周面は、前記釣り竿の中心軸の方向と並んで配置される複数の平らな面で構成される、
請求項１３に記載の釣り糸ガイド。
【請求項２１】
複数の管状竿と、
前記管状竿の１つに取り付けられる請求項１〜請求項２０のいずれか１項に記載の釣り糸ガイドとを含む、
釣り竿。
【発明の詳細な説明】
【技術分野】
【０００１】
本開示は、釣り糸を案内する釣り糸ガイド及びこれを備える釣り竿に関するものである。
【背景技術】
【０００２】
仕掛けをキャストする際に、または魚を釣り上げる際に釣り糸をガイドするために釣り糸ガイドが釣り竿の管状竿に取り付けられる。釣り糸ガイドは、釣り糸が通るガイドリングと、ガイドリングを保持及び支持するフレームと、フレームと結合して釣り竿の管状竿に取り付けられる取付部とを有する。【０００３】
釣り竿のうち、いわゆる振出式釣り竿（ｔｅｌｅｓｃｏｐｉｃ  ｆｉｓｈｉｎｇ  ｒｏｄ）には、釣り竿の管状竿の外周面に締まり嵌めにより固定される遊動ガイドまたはスライディングガイドが用いられている。遊動ガイドは、釣り竿の管状竿が貫通する環状の取付部を有する。遊動ガイドは、管状竿が取付部を貫通した状態で管状竿に沿って移動可能であり、取付部と管状竿の外周面との間の締まり嵌めにより管状竿に固定される。【０００４】
遊動ガイドの一例として、日本国特許第４２７５４５７号公報（特許文献１）と日本国実公平７−７７２６号公報（特許文献２）は、管状竿に嵌合される環状の取付部と、ガイドリングを支持して取付部に嵌合される取付リングを有する金属製のフレームとを備える遊動ガイドを開示する。
【先行技術文献】
【特許文献】
【０００５】
【特許文献１】日本国特許第４２７５４５７号公報
【特許文献２】日本国実公平７−７７２６号公報
【発明の概要】
【発明が解決しようとする課題】
【０００６】
遊動ガイドを振出式釣り竿に設置するために、遊動ガイドの環状取付部は、釣り竿の後端に向かってスライド移動する。振出式釣り竿の管状竿は、釣り竿の先端へ行くほど直径が小さくなるテーパ状を有する。従って、管状竿の外径と取付部の内径が同一となる位置で、取付部は管状竿の外周面に固定され得る。この時、取付部を釣り竿の後端側に強く押すと、取付部が若干変形され、取付部が管状竿の外周面に締まり嵌めにより固定され得る。【０００７】
仕掛けをキャストする際に、または魚を釣り上げる際に、取付部に結合したフレームに多様な外力が作用する。例えば、釣り竿に横方向に外力がフレームに加えられると、フレームと取付部が管状竿を中心として回転することができ、その場合、遊動ガイドの釣り糸案内機能が喪失する。しかし、環状の取付部と取付リングにより取付部と結合するフレームを有する従来技術の遊動ガイドは、フレームに加えられる横方向の力に抵抗する十分な回転防止強度を有せず、ユーザーがフレームに加える不注意な衝撃、または釣り場所での岩または地面がフレームに加える衝撃により、管状竿を中心として容易に回転することができる。従来技術の遊動ガイドは、管状竿を中心とした回転に抵抗する回転防止強度が大きくなるように設計されていない。また、従来技術の遊動ガイドは、金属製の取付リングがフレームから突出しているため、十分な曲げ強度を有せず、遊動ガイドに発生する釣り糸の糸絡みを円滑に解除することができない。【０００８】
振出式釣り竿は、水辺、浜、磯等での釣りのために用いられる。磯釣りのための振出式釣り竿は、４．５ｍ〜５．５ｍの全長を有することができ、このような振出式釣り竿には、一般に１０個〜１５個の遊動ガイドが取り付けられることができる。仕掛けのキャストを円滑にするために、または魚を容易に釣り上げるためには、軽量の釣り竿が有利であり、このためには、軽量の遊動ガイドが振出式釣り竿に要求される。しかし、金属製の取付リングを有する金属製のフレームにより、従来技術の遊動ガイドは軽量化に応じることができない。【０００９】
本開示による多様な実施例は、前述の従来技術の問題のうち、少なくとも一部を解決した釣り糸ガイドを提供する。
【課題を解決するための手段】
【００１０】
一実施例によると、強度が向上した樹脂材料を用いて、十分な強度を備えながらも軽量である釣り糸ガイドが提供される。一実施例によると、釣り竿の管状竿を中心とした回転に抵抗する回転防止強度が向上した釣り糸ガイドが提供される。【００１１】
本開示の一実施例による、釣り竿の管状竿に取り付けられて釣り糸を案内する釣糸ガイドは、環状の取付部と、釣り糸が通るガイドリングと、金属製の薄板からなり前記取付部と部分的に結合されて前記ガイドリングを支持するリングサポートと、を含み、前記リングサポートは、前記ガイドリングが結合されるリング保持孔を有するリング保持部と、前記リング保持部と一体に形成されて前記取付部に部分的に埋め込まれて前記取付部と結合されるリング支持部と、を含み、前記取付部は、前記リングサポートを金型内のインサートとして長さが５ｍｍ〜１０ｍｍであるカーボン長繊維を含むカーボン長繊維強化樹脂材料からインサート射出されて前記リングサポートの前記リング支持部を部分的に取り囲むように形成され得る。【００１２】
一実施例によると、前記カーボン長繊維材料は、前記カーボン長繊維強化樹脂の全重量の２０〜４０重量％を有することができる。【００１３】
一実施例によると、前記取付部は、前記管状竿の外周面に嵌合される環状体と、前記環状体の外周面に外側半径方向に突出するように形成された第１リブとを含むことができる。【００１４】
一実施例によると、前記環状体は、前記釣り竿のバットに向かう後方方向に位置し、前記第１リブが形成された小外径部と、前記小外径部より大きい外径を有し、前記リング支持部の下側一部が埋め込まれる大外径部とを含むことができる。【００１５】
一実施例によると、前記第１リブは、前記釣り竿のバットに向かう後方方向に前記小外径部の後端面まで延長するように形成され得る。【００１６】
一実施例によると、前記第１リブは、前記大外径部の外側半径方向の先端から前記小外径部の後端面に向かって傾斜するように形成された外周面を有することができる。【００１７】
一実施例によると、前記第１リブの外周面に含まれた長手方向の中心線は、前記釣り竿の中心軸と所定の角度を形成することができる。【００１８】
一実施例によると、前記第１リブは、前記釣り竿のバットに向かう前記第１リブの後端から前記釣り竿のチップに向かう前記第１リブの前端へ行くほど拡大する幅を有することができる。【００１９】
一実施例によると、前記取付部は、前記第１リブに対して周方向に離隔されるように配置され前記環状体の外周面に外側半径方向にそれぞれ突出するように形成された第２及び第３リブをさらに含むことができる。【００２０】
一実施例によると、前記取付部の内周面には周方向に配列され前記釣り竿の中心軸の方向に延長する複数のセレーションが形成され得る。【００２１】
一実施例によると、前記複数のセレーションは、先端にチップが形成されるように三角形状の断面を有することができる。【００２２】
一実施例によると、前記取付部は、周方向に沿って一定の厚さを有する下側取付部；及び前記下側取付部の両先端から周方向に沿って厚さが増加するように構成された上側取付部を含むことができる。【００２３】
本開示の他の実施例による釣り竿の管状竿に取り付けられて釣り糸を案内する釣糸ガイドは、釣り糸が通るガイドリングと、前記ガイドリングを支持するガイド本体とを含み、前記ガイド本体は、環状の取付部と、前記ガイドリングを支持するリングサポートと、を含み、前記リングサポートは、前記ガイドリングが結合されるリング保持孔を有するリング保持部と、前記取付部と前記リング保持部との間に形成されるリング支持部と、を含み、前記ガイド本体は長さが５ｍｍ〜１０ｍｍであるカーボン長繊維を含むカーボン長繊維強化樹脂材料から一体に形成され得る。【００２４】
一実施例によると、前記リング支持部には、前記リングサポートの幅方向の中心線を基準に対称する２つの開口が形成され得る。【００２５】
一実施例によると、前記リング支持部は、前記２つの開口の一部の縁をそれぞれ構成するように前記取付部の外周面から突出した２つの補強リブを含むことができる。【００２６】
一実施例によると、前記ガイド本体は、前記リング保持孔と隣接した前記リング保持部の上端から前記釣り竿の中心軸の方向に垂直な前記取付部の先端面まで延長するように形成された第１リブを含むことができる。【００２７】
一実施例によると、前記取付部は、前記管状竿の外周面に嵌合される環状体；及び前記釣り竿のチップに向かう前端が前記リング支持部と繋がるように前記環状体の外周面に外側半径方向に突出した第１リブを含むことができる。【００２８】
一実施例によると、前記第１リブは、前記釣り竿のバットに向かう後方方向に前記環状体の後端面まで延長するように形成され得る。【００２９】
一実施例によると、前記第１リブは、前記リング支持部の外側半径方向の先端から前記環状体の後端面に向かって傾斜するように形成された外周面を有し、前記第１リブの外周面に含まれた長手方向の中心線は、前記釣り竿の中心軸と所定の角度を形成することができる。【００３０】
一実施例によると、前記取付部は、周方向に沿って一定の厚さを有する下側取付部と、前記下側取付部の両先端から周方向に沿って厚さが増加するように構成された上側取付部とを含むことができる。【００３１】
一実施例によると、前記取付部の内周面は、前記釣り竿の中心軸の方向と並んで配置される複数の平らな面で構成され得る。【００３２】
本開示のさらに他の実施例による前記釣り竿は、複数の管状竿と、前記管状竿の１つに取り付けられる前述の実施例による釣り糸ガイドを含むことができる。
【発明の効果】
【００３３】
本開示の多様な実施例によると、取付部がカーボン長繊維強化樹脂からインサート射出されて製造されるため、取付部のウェルド強度を向上させることができる。また、取付部の内周面に形成されたセレーションにとがったチップを形成してもカーボン長繊維強化樹脂自体の強度が高いのでチップが潰れないため、釣り竿に対する取付部の固定力が強化されることができる。
【図面の簡単な説明】
【００３４】
【図１】本開示の多様な実施例による釣り糸ガイドが設置された振出式釣り竿を示す。
【図２Ａ】本開示の第１実施例による釣り糸ガイドを示す図である。
【図２Ｂ】本開示の第１実施例による釣り糸ガイドを示す図である。
【図２Ｃ】本開示の第１実施例による釣り糸ガイドを示す図である。
【図３Ａ】図２Ａ〜図２Ｃに示す釣り糸ガイドのリングサポート及びガイドリングの結合体を示す図である。
【図３Ｂ】図２Ａ〜図２Ｃに示す釣り糸ガイドのリングサポート及びガイドリングの結合体を示す図である。
【図３Ｃ】図２Ａ〜図２Ｃに示す釣り糸ガイドのリングサポート及びガイドリングの結合体を示す図である。
【図４Ａ】本開示の第２実施例による釣り糸ガイドを示す図である。
【図４Ｂ】本開示の第２実施例による釣り糸ガイドを示す図である。
【図４Ｃ】本開示の第２実施例による釣り糸ガイドを示す図である。
【図４Ｄ】本開示の第２実施例による釣り糸ガイドを示す図である。
【図５Ａ】本開示の第３実施例による釣り糸ガイドを示す図である。
【図５Ｂ】本開示の第３実施例による釣り糸ガイドを示す図である。
【図５Ｃ】本開示の第３実施例による釣り糸ガイドを示す図である。
【図６】本開示の多様な実施例による釣り糸ガイドに用いられるカーボン長繊維強化樹脂の特性を説明するための表である。
【図７】図６で説明するカーボン長繊維強化樹脂に含浸されるカーボン長繊維のランナー部の様子を撮影した写真である。
【図８】図７で撮影されたカーボン長繊維のランナー部の先端を５００倍に拡大した様子を撮影した写真である。
【図９】図７で撮影されたカーボン長繊維のランナー部の先端を２０００倍に拡大した様子を撮影した写真である。
【図１０】本開示の第２実施例による釣り糸ガイドを製造する過程でウェルド強度を改善する過程を説明するための図である。
【図１１Ａ】本開示の第２実施例による釣り糸ガイドを製造する過程を流動解析を通じて説明するための図である。
【図１１Ｂ】本開示の第２実施例による釣り糸ガイドを製造する過程を流動解析を通じて説明するための図である。
【図１１Ｃ】本開示の第２実施例による釣り糸ガイドを製造する過程を流動解析を通じて説明するための図である。
【図１２】本開示の第２実施例による釣り糸ガイドを製造する過程を流動解析を通じて説明するための図である。
【図１３】本開示の第１実施例による釣り糸ガイドを製造する過程でウェルド強度を改善する過程を説明するための図である。
【図１４Ａ】本開示の第１実施例による釣り糸ガイドを製造する過程を流動解析を通じて説明するための図である。
【図１４Ｂ】本開示の第１実施例による釣り糸ガイドを製造する過程を流動解析を通じて説明するための図である。
【図１４Ｃ】本開示の第１実施例による釣り糸ガイドを製造する過程を流動解析を通じて説明するための図である。
【図１５】本開示の第１実施例による釣り糸ガイドに提供された回転耐力を向上するための構造を説明するための図である。
【図１６】本開示の第１実施例による釣り糸ガイドを構成する材料を説明するための図である。
【図１７】本開示の第１実施例による釣り糸ガイドを構成する材料の特性を説明するための図である。
【図１８】本開示の多様な実施例による釣り糸ガイドにカーボン長繊維強化樹脂を用いて、回転耐力が向上した程度を説明するための図である。
【発明を実施するための形態】
【００３５】
本開示の実施例は、本開示の技術的思想を説明する目的で例示されたものである。本開示による権利範囲が、以下に提示される実施例やこれらの実施例に関する具体的説明で限定されるものではない。
【００３６】
本開示に用いられる全ての技術的用語及び科学的用語は、異なって定義されない限り、本開示が属する技術分野で通常の知識を有する者に一般に理解される意味を有する。本開示に用いられる全ての用語は、本開示をさらに明確に説明する目的で選択されたものであって、本開示による権利範囲を制限するために選択されたものではない。
【００３７】
本開示で用いられる「含む」、「備える」、「有する」などのような表現は、当該表現が含まれる語句または文章で異なって言及されない限り、他の実施例を含む可能性を内包する開放型用語（ｏｐｅｎ−ｅｎｄｅｄ  ｔｅｒｍｓ）と理解されるべきである。
【００３８】
本開示で記述された単数型の表現は、異なって言及しない限り、複数型の意味を含み得、これは請求の範囲に記載された単数型の表現にも同様に適用される。
【００３９】
本開示で用いられる「第１」、「第２」などの表現は、複数の構成要素を相互に区分するために用いられ、当該構成要素の順序または重要度を限定するものではない。
【００４０】
本開示で、ある構成要素が他の構成要素に「連結されて」いたり、「接続されて」いると言及された場合、前記ある構成要素が前記他の構成要素に直接的に連結され得たり、接続され得るものとして、または新たな他の構成要素を介して連結され得たり、接続され得るものとして理解されるべきである。
【００４１】
本開示で記載される寸法と数値は、記載された寸法と数値のみに限定されるものではない。異なって特定されない限り、このような寸法と数値は、記載された値及びこれを含む同等の範囲を意味するものとして理解され得る。例えば、本開示に記載された「７ｍｍ」という寸法は「略７ｍｍ」を含むものとして理解され得る。
【００４２】
本開示で用いられる「上方」、「上」等の方向指示語は、添付の図面でガイドリングが取付部に対して位置する方向を基準とし、「下方」、「下」等の方向指示語は、その反対方向を意味する。添付の図面に示す釣り糸ガイドは異なって配向されることもでき、前記方向指示語はそれに合わせて解釈されることができる。
【００４３】
本開示の図面に表示された座標系で、「ＴＤ」は前方方向を意味し、「ＢＤ」は後方方向を意味する。また、「ＵＤ」は上方方向を意味し、「ＬＤ」は下方方向を意味する。また、「ＷＤ」は幅方向を意味する。
【００４４】
本開示で用いられる「ＴＣ−モデル」は、第１実施例による釣り糸ガイド１を指すモデル名であり、「Ｃ１−モデル」は、第２実施例による釣り糸ガイド２を指すモデル名であり、「Ｃ２−モデル」は、第３実施例による釣り糸ガイド３を指すモデル名であり、「Ｃ−モデル」は、第２実施例による釣り糸ガイド２と第３実施例による釣り糸ガイド３である。
【００４５】
以下、添付の図面を参照し、本開示の実施例を説明する。添付の図面で、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるものではない。
【００４６】
図１は、本開示の多様な実施例による釣り糸ガイド１，２，３が設置された振出式釣り竿１０００を示す。
【００４７】
矢印（ＴＤ）は、釣り竿のチップ（ｔｉｐ）１００１に向かう前方方向を指し、矢印（ＢＤ）は、釣り竿のバット（ｂｕｔｔ）１００２に向かう後方方向を指す。図１に示す釣り竿１０００は、当該分野で振出式（ｔｅｌｅｓｃｏｐｉｃ）釣り竿として参照され得る。釣り竿１０００は、水辺、浜、船上、磯等での釣りのために用いられるものの、釣り竿１０００の使用場所が前述の場所に限定されるものではない。
【００４８】
釣り竿１０００は、長い円筒状の竿体１００５を含む。竿体１００５は、釣り竿１０００に作用する種々の外力に抵抗して、釣り竿１０００の形状を維持する構造物として機能することができる。竿体１００５は、第１〜第５管状竿１１１０，１１２０，１１３０，１１４０，１１５０を含むことができる。また、１つの管状竿が、その次に位置し、それより大きい外径を有する管状竿の内部に嵌められるテレスコピック（ｔｅｌｅｓｃｏｐｉｃ）方式で複数の管状竿が結合して、竿体１００５を構成することができる。図１は、拡張された釣り竿１０００の竿体１００５を示す。
【００４９】
竿体１００５の管状竿のうち、釣り竿１０００の後端に位置する第１管状竿１１１０は、ユーザーが握ることができる元竿として機能する。第１管状竿１１１０にはリールシート１１１５が取り付けられ、リールシート１１１５には釣り糸（図示せず）を放出したり巻くためのリール（図示せず）が除去可能に取り付けられる。
【００５０】
釣り竿１０００は、第２〜第５管状竿１１２０，１１３０，１１４０，１１５０に設置される複数の釣り糸ガイドを備えることができる。釣り糸ガイドは、仕掛けをキャストする際にリールから放出されたり、魚を釣り上げる際にリールに巻かれる釣り糸を案内する。前記複数の釣り糸ガイドとして、開示された種々の実施例のいずれか１つによる釣り糸ガイドが用いられる。本開示の多様な実施例による１つ以上の釣り糸ガイド１，２，３が竿体１００５の第２〜第５管状竿１１２０，１１３０，１１４０，１１５０の１つに取り付けられることができる。
【００５１】
本開示の多様な実施例による釣り糸ガイド１，２，３は順に、直径が大きい管状竿から直径が小さい管状竿に取り付けられることができる。釣り糸ガイド１（図２Ａ参照）は、第２管状竿（１１２０）または第３管状竿（１１３０）に取り付けられることができる。釣り糸ガイド２（図４Ａ参照）は、第４管状竿（１１４０）に取り付けられることができる。釣り糸ガイド３（図５Ａ参照）は、第５管状竿１１５０に取り付けられることができる。
【００５２】
例えば、竿体１００５の第３管状竿１１３０が釣り糸ガイド１の環状の取付部を貫通して、釣り糸ガイド１が竿体１００５に取り付けられる。釣り糸ガイド１が竿体１００５に取り付けられる前に、釣り糸ガイド１はその取付部で竿体１００５に沿って前方方向（ＴＤ）または後方方向（ＢＤ）にスライド可能であり、竿体１００５に対して回転可能である。竿体１００５の第３管状竿１１３０は、前方方向（ＴＤ）に外径が小さくなるテーパ状を有する。従って、釣り糸ガイド１を後方方向（ＢＤ）に移動させるにつれて、釣り糸ガイド１の取付部が第３管状竿１１３０の外周面と締まり嵌めで結合することにより、釣り糸ガイド１が竿体１００５に取り付けられることができる。実施例による釣り糸ガイドは、当該分野において「遊動ガイド」または「スライディングガイド」として参照され得る。
【００５３】
図２Ａ〜図２Ｃは、本開示の第１実施例による釣り糸ガイド１を多様な方向で示す図である。図２Ａは、釣り糸ガイド１の斜視図であり、図２Ｂは、釣り糸ガイド１の正面図であり、図２Ｃは、釣り糸ガイド１の側面図である。
【００５４】
釣り糸ガイド１は、リングサポート１ａ及びリングサポート１ａと結合される取付部１ｂを含むことができる。リングサポート１ａは、リング保持孔１０ａが形成されるリング保持部１１及びリング保持部１１から下側に延長形成されるリング支持部１３を含むことができる。リング保持孔１０ａには、ガイドリング１２が挿入されて固定され得る。取付部１ｂは、リングサポート１ａをインサートとしてカーボン長繊維強化樹脂からインサート射出成形されてリング支持部１３を取り囲むように形成され得る。取付部１ｂは、図１に示す釣り竿１０００の外周に沿って移動可能に設置され得る。
【００５５】
取付部１ｂは環状の形状を有し、竿体１００５の管状竿のうち、例えば、第３管状竿１１３０が取付部１ｂを貫通することができる。取付部１ｂは、第３管状竿１１３０が貫通できる環状体１６を含む。環状体１６には、第３管状竿１１３０の外周面に嵌合される円筒状のボア１０ｂが釣り竿の中心軸（Ｒ）に沿って貫通している。ボア１０ｂの直径は、前方方向（ＴＤ）または後方方向（ＢＤ）に均一であってもよい。第３管状竿１１３０がボア１０ｂを貫通した状態で、取付部１ｂは第３管状竿１１３０に沿ってスライド可能であり、第３管状竿１１３０に対して回転することができる。
【００５６】
第３管状竿１１３０は、前方方向（ＴＤ）に細くなるテーパ状を有する。従って、環状体１６を後方方向（ＢＤ）に移動させる途中、第３管状竿１１３０の外径とボア１０ｂの直径が略同一となる位置で、環状体１６は第３管状竿１１３０の外周面と嵌合され得る。この時、環状体１６を後方方向（ＢＤ）にさらに移動させると、環状体１６が若干変形されながら、取付部１ｂは第３管状竿１１３０に堅固に嵌合されて固定され得る。
【００５７】
環状体１６の内周面にはボア１０ｂの軸方向に延長して中心軸（Ｒ）に向かって突出した複数のセレーション１７が形成され得る。複数のセレーション１７の端部にはとがった形状のチップが形成され得る。複数のセレーション１７は、竿体１００５と環状体１６との間の固定力を強化することができる。
【００５８】
リング保持孔１０ａは、リング保持部１１にリング保持部１１の厚さ方向に貫通している。リング保持孔１０ａは、ガイドリング１２の外周面に合わせられるように楕円形の内周面を有することができる。ガイドリング１２は、釣り糸による摩耗の防止のために、セラミック材料で構成されることができる。ガイドリング１２は、その外周面でリング保持孔１０ａの内周面に嵌合され、点接触または面接触などによりリング保持孔１０ａの内周面と結合され得る。また、リング保持孔１０ａの内周面とガイドリング１２の外周面との間には、これらを接着させるための接着剤が塗布されることもできる。リング保持部１１は、リング保持孔１０ａによりガイドリング１２の全周に沿ってガイドリング１２を保持するように略環状をとる。
【００５９】
環状体１６は、前方方向（ＴＤ）に位置して外径が相対的に大きい大外径部１６ａと、大外径部１６ａより小さい外径を有して大外径部１６ａと繋がっている小外径部１６ｂとを有する。大外径部１６ａでの環状体１６の半径方向厚さは、小外径部１６ｂでの環状体１６の半径方向厚さより大きい。大外径部１６ａの前方方向（ＴＤ）の表面が、取付部１ｂの環状の前端面１６１ａを形成し、小外径部１６ｂの後方方向（ＢＤ）の表面が取付部１ｂの環状の後端面１６１ｂを形成することができる。
【００６０】
取付部１ｂは、リングサポート１ａと結合する結合部１８を含むことができる。結合部１８は、大外径部１６ａの上側の外周部に形成され得る。結合部１８は、前方結合部１８ａと後方結合部１８ｂとを含むことができる。
【００６１】
環状体１６の外周面には、第１〜第３リブ１５ａ，１５ｂ，１５ｃが形成され得る。第１リブ１５ａは中央リブと説明でき、第２及び第３リブ１５ｂ、１５ｃは側方リブと説明できる。第１リブ１５ａは、後方結合部１８ｂの外側端部と小外径部１６ｂの後端面１６１ｂとの間に形成され得る。第２及び第３リブ１５ｂ、１５ｃは、小外径部１６ｂの下側部分の両側に形成され得る。第１〜第３リブ１５ａ、１５ｂ、１５ｃは、正面方向で概ね三角形状をなすことができる。
【００６２】
第１リブ１５ａは、リング支持部１３に隣接して環状体１６の上端に位置することができる。第１リブ１５ａは、後方結合部１８ｂと小外径部１６ｂにわたって形成されている。第１リブ１５ａの上面１５１ａは、中心軸（Ｒ）に向かって傾いている。第１リブ１５ａは、釣り竿のバットに向かう後方方向（ＢＤ）にテーパされる形状を有することができる。これにより、第１リブ１５ａは、後方方向（ＢＤ）における後端面１６１ｂから釣り竿のチップに向かう前方方向（ＴＤ）に拡大する幅を有することができる。第１リブ１５ａの上面１５１ａに含まれた長手方向の中心線（Ｍ２）は、釣り竿の中心軸（Ｒ）と所定の角度（δ１）を形成することができる。
【００６３】
第２及び第３リブ１５ｂ，１５ｃは、環状体１６の側端で環状体１６の中心より下に位置する。第２及び第３リブ１５ｂ，１５ｃは、大外径部１６ａと小外径部１６ｂにわたって形成されている。第２及び第３リブ１５ｂ，１５ｃの幅は、第１リブ１５ａの幅より小さい。第１リブ１５ａと第２及び第３リブ１５ｂ，１５ｃとの間の中心軸（Ｒ）に対する角度は、略１２０°となってもよいが、これに限定されるものではない。
【００６４】
図２Ｂを参照すると、小外径部１６ｂは、周方向に沿って一定の半径方向の厚さを有する下側取付部１６１と、下側取付部１６１の両先端から周方向に沿って半径方向の厚さが増加するように構成された上側取付部１６２とを含むことができる。上側取付部１６２は、中心軸（Ｒ）を基準として上側に位置することができ、下側取付部１６１は、中心軸（Ｒ）を基準として下側に位置することができる。上側取付部１６２は、第１リブ１５ａと繋がるように形成され得る。
【００６５】
上側取付部１６２は、下側取付部１６１の両先端から第１リブ１５ａへ行くほど次第に半径方向の厚さが厚くなる形状を有することができる。即ち、上側取付部１６２で第１リブ１５ａと繋がる部分の半径方向厚さが最も大きくなり得る。中心軸（Ｒ）と下側取付部１６１の両先端を連結した線間の角度（α）は、１７０°以下になり得る。上側取付部１６２は、インサート射出成形時に、中心線（Ｍ１）に向かう射出物の流速を減少させて反転流の流入を促すことにより、ウェルドラインの形成を抑制することができる。これに関する詳細な説明は後述する。
【００６６】
図３Ａ〜図３Ｃは、図２Ａ〜図２Ｃに示すリングサポート１ａ及びガイドリング１２の結合体を多様な方向で示す図である。図３Ａは、リングサポート１ａ及びガイドリング１２の結合体の正面図であり、図３Ｂは、リングサポート１ａ及びガイドリングの結合体の下面図であり、図３Ｃは、リングサポート１ａ及びガイドリング１２の結合体のＩ−Ｉ線断面図である。
【００６７】
リングサポート１ａは、ガイドリング１２を保持し、取付部１ｂに対してガイドリング１２を支持することができる。リングサポート１ａは、ステンレススチール、ステンレス合金、チタン合金、純チタンなどの金属材料で製造された薄板からなることができる。リングサポート１ａは、その中に形成された曲げ部によりリングサポート１ａを構成する部分が互いに対して折り曲げられたり、湾曲している薄板として形成されている。また、リングサポート１ａは、前記金属材料の１つからなる薄い金属シート（当該分野で、このような金属シートはブランク（ｂｌａｎｋ）として参照され得る）をパンチング、ブランキング、ベンディングのようなプレス加工により形成され得る。
【００６８】
リング支持部１３には、複数の開口１３ａがパンチングされて形成され得る。取付部１ｂは、インサート射出成形過程で、取付部１ｂをなす樹脂材料が複数の開口１３ａの一部の開口を満たすように形成され得る。従って、取付部１ｂの一部とリング支持部１３の一部が互いに交差する構造を有するため、リングサポート１ａと取付部１ｂとの間の固定力が強化されることができる。
【００６９】
リングサポート１ａのリング保持部１１には、バーリング部１１ａが形成され得る。バーリング部１１ａによりリング保持孔１０ａを取り囲む部分の厚さがリングサポート１ａの残りの部分より厚く形成されるため、ガイドリング１２との接触面積を増加させて、ガイドリング１２とリング保持部１１との結合性を向上させることができ、リング保持部１１自体の強度を向上させることができる。
【００７０】
リング支持部１３には、例えば、４つの開口１３ａが形成され得、インサート射出成形過程で取付部１ｂの結合部１８が下側に配置された２つの開口１３ａを満たすように形成され得る。リング支持部１３の下側端部１３ｂは、リング保持部１１に向かって「Ｖ」字状に凹んだ形状を有することができる。このようなリング支持部１３の下側端部１３ｂの構造は、取付部１ｂが射出成形される過程で取付部１ｂの円筒状の内周面の形状を提供させることができる。
【００７１】
リング支持部１３は、中心線（Ｍ１）を基準として両側に形成された第１及び第２リング支持部１３１、１３２を含むことができる。第１及び第２リング支持部１３１、１３２は、中心線（Ｍ１）を基準として「Ｖ」字状に曲がるように形成され得る。第１及び第２リング支持部１３１，１３２が形成する角度（β）は、１２０°と１７０°との間の鈍角になってもよい。
【００７２】
図４Ａ〜図４Ｄは、本開示の第２実施例による釣り糸ガイド２を多様な方向で示す図である。図４Ａは、釣り糸ガイド２の斜視図であり、図４Ｂは、釣り糸ガイド２の正面図であり、図４Ｃは、釣り糸ガイド２の側面図であり、図４Ｄは、釣り糸ガイド２をＩＩ−ＩＩ線で切断した断面図である。
【００７３】
釣り糸ガイド２は、例えば、第５管状竿１１５０に設置され得る。釣り糸ガイド２は、釣り糸が通るガイドリング２２及びガイドリング２２を支持するガイド本体２０を含むことができる。ガイド本体２０は、カーボン長繊維強化樹脂材料から射出されて一体に形成され得る。ガイド本体２０は、環状の取付部２３とガイドリング２２を支持するリングサポート２０ａとを含むことができる。リングサポート２０ａは、ガイドリング２２が結合されるリング保持孔２６を有するリング保持部２１と、取付部２３とリング保持部２１との間に形成されるリング支持部２９とを含むことができる。ガイドリング２２は、リング保持孔２６に挿入されて固定され得る。また、リング保持孔２６の内周面とガイドリング２２の外周面との間にはこれらを接着させるための接着剤が塗布され得る。ガイドリング２２には、釣り糸が通ることができる。
【００７４】
取付部２３は、釣り竿の外周に沿って移動可能に設置され得る。取付部２３には、釣り竿の中心軸（Ｒ）方向に貫通したボア２７が形成され得る。ボア２７には、釣り竿が通ることができる。ボア２７は、リング保持孔２６より大きい大きさで構成され得る。
【００７５】
取付部２３は、リング支持部２９から延長形成された大外径部２３ａと、大外径部２３ａから釣り竿の中心軸Ｒ方向に延長形成された小外径部２３ｂとを含むことができる。大外径部２３ａの半径方向厚さは、小外径部２３ｂの半径方向厚さより厚く形成され得る。大外径部２３ａの前方方向（ＴＤ）の表面が取付部２３の環状の前端面２３１ａを形成し、小外径部２３ｂの後方方向（ＢＤ）の表面が取付部２３の環状の後端面２３１ｂを形成することができる。
【００７６】
リング保持部２１と取付部２３との間のリング支持部２９には、２つの開口２４が形成され得る。開口２４は、中心線（Ｍ１）を基準としてリング支持部２９の両側に形成され得る。
【００７７】
ガイド本体２０は、リング保持孔２６と隣接したリング支持部２９の上端２９１から釣り竿の中心軸（Ｒ）方向に垂直な取付部２３の後端面２３１ｂまで延長するように形成された第１リブ２５を含むことができる。第１リブ２５は、釣り竿の中心軸（Ｒ）方向に傾斜するように形成され得る。第１リブ２５の外周面２５１に含まれた長手方向の中心線（Ｍ２）は、釣り竿の中心軸（Ｒ）と所定の角度（δ２）を形成することができる。
【００７８】
図４Ｂを参照すると、小外径部２３ｂは、周方向に沿って一定の半径方向の厚さを有する下側取付部２３１と、下側取付部２３１の両先端から周方向に沿って半径方向の厚さが増加するように構成された上側取付部２３２とを含むことができる。上側取付部２３２は、中心軸（Ｒ）を基準として上側に位置することができ、下側取付部２３１は、中心軸（Ｒ）を基準として下側に位置することができる。上側取付部２３２は、第１リブ２５と繋がるように形成され得る。
【００７９】
上側取付部２３２は、下側取付部２３１の両先端から第１リブ２５へ行くほど次第に半径方向の厚さが厚くなる形状を有することができる。即ち、上側取付部２３２で第１リブ２５と繋がる部分の半径方向の厚さが最も大きくなり得る。中心軸（Ｒ）と下側取付部２３１の両先端を連結した線間の角度（γ）は、１７０°以下になり得る。上側取付部２３２は射出成形時に、中心線（Ｍ１）に向かう射出物の流速を減少させて反転流の流入を促すことにより、ウェルドラインの形成を抑制することができる。
【００８０】
リング支持部２９は、２つの開口２４の一部の縁をそれぞれ構成するように大外径部２３ａの外周面から突出した２つの補強リブ２８を含むことができる。補強リブ２８は、リング支持部２９に形成された開口２４の下側縁に形成され得る。補強リブ２８は、大外径部２３ａから２つの開口２４のそれぞれの内部に向かって突出することができる。補強リブ２８は、大外径部２３ａの周方向に沿って形成され得る。補強リブ２８は、中心線（Ｍ１）を基準として対称するように形成され得る。補強リブ２８は、射出成形時に、ガイド本体２０の中心線（Ｍ１）付近にウェルドラインが形成されることを防止するように、射出物の流速を増加させることができる。
【００８１】
ガイド本体２０は、カーボン長繊維強化樹脂から一体に形成されるため、リングサポート２０ａにバーリング部が形成されないことがある。また、取付部２３の内周面には、セレーションが形成されないことがある。釣り竿との結合性を強化するために、取付部２３の内周面は複数の平面２３ｃで構成され得る。複数の平面２３ｃは、釣り竿の中心軸（Ｒ）方向と並んで配置され得る。
【００８２】
図５Ａ〜図５Ｃは、本開示の第３実施例による釣り糸ガイド３を多様な方向で示す図である。図５Ａは、釣り糸ガイド３の斜視図であり、図５Ｂは、釣り糸ガイド３の正面図であり、図５Ｃは、釣り糸ガイド３の右側面図である。
【００８３】
釣り糸ガイド３は、例えば、竿体１００５の第５管状竿１１５０に設置され得る。釣り糸ガイド３は、ガイド本体３０及びガイドリング３２を含むことができる。ガイド本体３０は全体的に、上側から下側へ行くほど幅が狭くなる形状を有することができる。ガイド本体３０は、カーボン長繊維強化樹脂から射出成形されて一体に形成され得る。
【００８４】
ガイド本体３０は、リングサポート３０ａ及び取付部３３を含むことができる。リングサポート３０ａは、リング保持孔３４が形成されたリング保持部３１及びリング保持部３１から延長形成されたリング支持部３９を含むことができる。取付部３３には、ボア３７が形成され、取付部３３は釣り竿の外周に沿って移動可能に設置され得る。ボア３７には、釣り竿が通ることができる。ガイドリング３２は、リング保持孔３４に挿入されて固定され得る。又、リング保持孔３４の内周面とガイドリング３２の外周面との間には、これらを接着させるための接着剤が塗布され得る。
【００８５】
ボア３７は、リング保持孔３４より小さい大きさで構成され得る。ボア３７は、概ね六角形状を有することができる。釣り竿の管状竿のうち、最も直径が小さい第５管状竿１１５０は、ボア３７の六角形状に対応するように、六角形状の断面を有することができる。
【００８６】
取付部３３は、リング支持部３９から延長形成された大外径部３３ａ、大外径部３３ａからボア３７の軸方向に延長形成された小外径部３３ｂを含むことができる。大外径部３３ａの半径方向厚さは、小外径部３３ｂの半径方向厚さより厚く形成され得る。大外径部３３ａの前方方向（ＴＤ）の表面が取付部３３の前端面３３１ａを形成し、小外径部３３ｂの後方方向（ＢＤ）の表面が取付部３３の後端面３３１ｂを形成することができる。
【００８７】
リング保持部３１と取付部３３との間のリング支持部３９には、２つの開口３６が形成され得る。リング支持部３９と取付部３３の外周面との間には、第１リブ３５が形成され得る。第１リブ３５は、リング保持孔３４と隣接したリング支持部３９の上端３９１から釣り竿の中心軸（Ｒ）方向に垂直な取付部３３の後端面３３１ｂまで延長するように形成され得る。２つの開口３６は、中心線（Ｍ１）を基準として第１リブ３５の両側に形成され得る。第１リブ３５は、釣り竿の中心軸Ｒに向かって傾斜するように形成され得る。第１リブ３５の外周面３５１に含まれた長手方向の中心線（Ｍ２）は、釣り竿の中心軸（Ｒ）と所定の角度（δ３）を形成することができる。
【００８８】
ガイド本体３０は、カーボン長繊維強化樹脂から一体に形成されるため、リング保持部３１にバーリング部が形成されないことがある。また、取付部３３の内側面には、セレーションが形成されないことがある。また、取付部３３の内側面は、複数の平面３３ｃで構成され得る。
【００８９】
図６は、本開示の多様な実施例による釣り糸ガイドに用いられるカーボン長繊維強化樹脂の特性を説明するための表である。
【００９０】
カーボン長繊維強化樹脂材料は、カーボン短繊維強化樹脂材料に比べて３〜５倍の高い衝撃強度を有することができる。カーボン長繊維強化樹脂材料は、高い繊維配合量で高剛性を有し、高温で優れたクリープ特性を有する。カーボン長繊維強化樹脂材料は、高温で高い弾性保持率を有し、低温で優れた衝撃保持率を有する。カーボン長繊維強化樹脂材料は、撓み変形量や引っ張り変形量が小さく、線膨張係数が小さいため寸法安定性が高く、優れた耐摩耗性を有する。カーボン長繊維は、略７ｍｍの長さと円筒状を有することができる。カーボン長繊維強化樹脂材料におけるカーボン含量は、略３０％になってもよい。カーボン長繊維強化樹脂材料における樹脂は、ナイロン樹脂であってもよい。
【００９１】
図６を参照すると、ＤＡＩＣＥＬは、本開示の一実施例による樹脂材料を生産する会社の名称である。プラストロン（ｐｌａｓｔｒｏｎ（登録商標）、ＰＡ１２−ＣＦ３０）は、ＤＡＩＣＥＬが生産するカーボン長繊維強化樹脂材料である。比較例１は、合成樹脂材料で構成され得、例えば、ＰＯＭであってもよい。ＰＯＭは、エンジニアリングプラスチックの一種であって、ポリオキシメチレン（ｐｏｌｙｏｘｙｍｅｔｈｙｌｅｎ）で構成され得る。比較例２は、比較例１とは異なる合成樹脂材料で構成され得る。比較例２は、例えばＰＡ（ポリアミド）であって、非晶性のＰＡで構成された透明な材料であるということが特徴になり得る。一例として、カーボン長繊維強化樹脂材料で取付部及び／又はガイド本体が形成される場合、前記カーボン長繊維強化樹脂材料として、ダイセル化学工業株式会社（Ｄａｉｃｅｌ  Ｃｈｅｍｉｃａｌ  Ｉｎｄｕｓｔｒｉｅｓ，ＬＴＤ）製造のプラストロンが用いられる。
【００９２】
一実施例で、取付部は、長さが５ｍｍ〜１０ｍｍのカーボン長繊維を含むカーボン長繊維強化樹脂材料から射出されることができる。プラストロンは、例えば、７ｍｍの長さのカーボン長繊維を含むことができる。一例で、プラストロンは、９ｍｍの長さのカーボン長繊維を含むことができる。７ｍｍまたは９ｍｍの長さのカーボン長繊維は、合成樹脂材料内で含浸できる。カーボン長繊維の含有量は、カーボン長繊維と合成樹脂材料を合わせた全重量の２０〜５０重量％になってもよい。一例として、カーボン長繊維と合成樹脂材料を合わせた全重量の３０重量％になってもよい。プラストロンは、本開示による実施例で必要とする技術的特徴を満たすことができる。
【００９３】
プラストロンは、本開示の多様な実施例による釣り糸ガイド１、２、３に用いられる。プラストロンは、引張強度、曲げ強度、曲げ弾性率、ノッチ付きシャルピー衝撃強度（Ｃｈａｒｐｙ  ｎｏｔｃｈｅｄ  ｉｍｐａｃｔ  ｓｔｒｅｎｇｔｈ）、荷重たわみ温度、及び密度を含む全ての特性において、他の材料である比較例１及び比較例２より優れる。従って、プラストロンを用いる場合、取付部の強度が強化されることができる。
【００９４】
プラストロンは、カーボン長繊維強化樹脂であるため、高衝撃性を有することができる。例えば、短繊維強化樹脂に比べて３〜５倍の衝撃強度を有することができる。また、プラストロンは、３０％のカーボン樹脂含有量を有する高剛性材料である。また、プラストロンは優れたクリープ強度（長時間の荷重により材料が継続的に徐々に塑性変形を引き起こす現象）を有することができ、特に高温でのクリープ強度に優れている。即ち、長い時間用いたり、高温で用いてもあまり塑性変形しない。また、プラストロンは、寸法安定性に優れる。即ち、プラストロンで製造された部品は、たわみまたは曲がりが少なく、線膨張係数が低い。
【００９５】
図７は、図６で説明する樹脂材料に含浸されるカーボン長繊維のランナー部の様子を撮影した写真である。
【００９６】
図７に撮影された部分は、製品に流入する前（即ち、樹脂に含浸させる前）のランナー部分であるため、繊維方向が一定に配列されることが確認できる。即ち、カーボン長繊維の長手方向は、一定の方向に配列されることができる。カーボン長繊維の構造を確認するために、カーボン長繊維強化樹脂を燃焼させてナイロン樹脂を除去することができる。また、燃焼したカーボン長繊維強化樹脂は、形状に応じてカーボン長繊維がワイヤー状に絡みついて構成されていることが確認できる。
【００９７】
図８は、図７で撮影されたカーボン長繊維のランナー部の先端を５００倍に拡大した様子を撮影した写真であり、図９は、図７で撮影されたカーボン長繊維のランナー部の先端を２０００倍に拡大した様子を撮影した写真である。図８及び９は、２０００倍以上の倍率を有する顕微鏡でカーボン長繊維を撮影した写真である。
【００９８】
図８を参照すると、カーボン長繊維は、概ね円筒形状を有することが確認できる。図９は、図８の写真の中で、繊維の断面が正面に向かっている部分を拡大した写真である。図９を参照すると、細い繊維が束状に纏まっていることが確認できる。
【００９９】
図１０は、本開示の第２実施例による釣り糸ガイド２を製造する過程でウェルド強度を改善する過程を説明するための図である。図１０（ａ）乃至図１０（ｃ）はそれぞれ、比較例Ａ、Ｂ及びＣを示す斜視図であり、図１０（ｄ）は、本開示による実施例Ｄを示す斜視図である。図１０（ｅ）は、比較例Ａ〜Ｃと実施例Ｄを比較説明するための表である。
【０１００】
釣り人は釣り中に、釣り竿に対する釣り糸ガイドの回転を防止するために、釣り竿の外周上に釣り糸ガイドを強く押しつけて固定することができる。釣り糸ガイドが実施例Ｄのような構造を有する場合、釣り糸ガイドの取付部が釣り竿に固定されるのに十分な強度を確保することができる。
【０１０１】
本開示の多様な実施例は、カーボン長繊維強化樹脂の欠点と見られる射出成形時の低いウェルド強度を克服するために、射出成形時のカーボン長繊維強化樹脂の流動を制御できる構造を提案する。実施例Ｄは、本開示の第２実施例による釣り糸ガイド２に対応する実施例であり、比較例Ａ、Ｂ及びＣは、本開示の実施例Ｄを導き出す過程で考慮していた代案である。
【０１０２】
図１０（ａ）を参照すると、比較例Ａは、第１リブ２５の先端は、後端面２３１ｂまで延長され得ず、取付部２３の中間程度で終わるように形成され得る。また、後端面２３１ｂの厚さが均一に構成される。図１０（ｂ）を参照すると、比較例Ｂは比較例Ａと比較して、後端面２３１ｂの厚さが均一に構成されないように、小外径部２３ｂが下側取付部２３１及び下側取付部２３１の両先端から周方向に沿って半径方向の厚さが増加するように構成された上側取付部２３２を含む。図１０（ｃ）を参照すると、比較例Ｃは比較例Ｂと比較して、第１リブ２５が後端面２３１ｂまで延長するように構成される。図１０（ｄ）を参照すると、実施例Ｄは比較例Ｃと比較して、開口２４の下端に補強リブ２８が追加されている。
【０１０３】
図１０（ｅ）を参照すると、比較例Ａ、Ｂ、Ｃ及び実施例Ｄは、（ｉ）取付部の後端面２３１ｂの厚さの変化、（ｉｉ）リブ２５の取付部の後端面２３１ｂまでの到達可否、及びｉｉｉ補強リブ２８の採用可否で互いに差異を有する。比較例Ａは、上記（ｉ）〜（ｉｉｉ）の構成をいずれも含んでいない。比較例Ｂは、（ｉ）の構成のみを含む。比較例Ｃは、（ｉ）及び（ｉｉ）の構成を含む。実施例Ｄは、（ｉ）〜（ｉｉｉ）の構成をいずれも含む。
【０１０４】
図１０（ｅ）において、取付部の押込耐力を比較すると、比較例Ａに比べて実施例Ｄは５２％程度向上したことが確認できる。従って、比較例Ａに比べて実施例Ｄの取付部は、５０％以上大きい押込耐力を有することができるため、釣り人が有する最大の力で強く遊動ガイドを釣り竿に押し込んでも、取付部の破損を防止することができる。即ち、実施例Ｄは、カーボン長繊維強化樹脂で構成されたガイド本体のウェルド強度を改善することができる。
【０１０５】
数値流動解析結果によると、ウェルド制御は、比較例Ａから実施例Ｄへ行くほど優れた改善程度を示し、詳細は後述する。
【０１０６】
図１１Ａ〜図１１Ｃは、本開示の第２実施例による釣り糸ガイドを製造する過程を流動解析を通じて説明するための図である。図１１Ａは、樹脂材料の射出が始まる位置を示す。図１１Ｂは、射出過程で進行される流動の方向を示す。図１１Ｃは、射出の進行過程を流動解析結果を通じて示す。
【０１０７】
図１１Ａを参照すると、取付部を形成するために、カーボン長繊維強化樹脂を射出成形し始めるゲート位置（ＩＰ）は、取付部の下端に位置することができる。ゲート位置（ＩＰ）は、ノズル（Ｎ）から溶融したカーボン長繊維強化樹脂が放出される位置を意味する。具体的には、ゲート位置（ＩＰ）は、リング保持部から延長される大外径部２３ａの下端に位置することができる。ノズル（Ｎ）から溶融状態で注入されたカーボン長繊維強化樹脂は、金型内で、大外径部２３ａに対応する部分を経て小外径部２３ｂに対応する部分に流れ、次にリング支持部２９に対応する部分に流れることができる。
【０１０８】
図１１Ｃを参照すると、比較例Ａ〜Ｃ及び実施例Ｄは、図１０に示す比較例Ａ〜Ｃ及び実施例Ｄと同一である。射出成形の時間の流れは、Ｔ１の段階からＴ４の段階に進みながら、初期状態から後期状態に進む過程を示す。
【０１０９】
図１１Ｂを参照すると、ゲート位置（ＩＰ）から始まるカーボン長繊維強化樹脂の流動は、金型内で多数の流動の流れ（ｂ１，ｂ１’，ａ１，ａ１’，ｃ１，ｃ１’）に分かれることができる。第１及び第２流動（ｂ１、ｂ１’）は、ゲート位置（ＩＰ）から大外径部（内円部分）を形成するように流れる流動と定義されることができる。第３及び第４流動（ａ１，ａ１’）は、ゲート位置（ＩＰ）から小外径部を形成するように流れる流動と定義されることができる。第５及び第６流動（ｃ１，ｃ１’）は、リング保持部及びリング支持部を形成するように流れる流動と定義されることができる。
【０１１０】
図１１Ｂに示す釣り糸ガイドの姿勢のような状態で金型に対してカーボン長繊維強化樹脂の射出成形が進められるため、第３及び第４流動（ａ１，ａ１’）は、重力方向に対する反対方向への流路を先に流れることになり、相当な流速の損失が発生する。従って、第３及び第４流動（ａ１，ａ１’）は、第１及び第２流動（ｂ１，ｂ１’）に比べて相当遅い流速を有する。
【０１１１】
小外径部を形成するように第３及び第４流動（ａ１，ａ１’）が流れながら、半径方向の厚さが次第に増加する上側取付部部分が形成され得る。下側取付部より半径方向の厚さが厚い上側取付部部分を製造するために、金型に形成されたチャネルの間隔もこれに対応して広くなるため、前記チャネルを通過する射出物の流速が減少することができる。これを通じて、第３及び第４流動（ａ１，ａ１’）の流速と第１及び第２流動（ｂ１，ｂ１’）の流速の差をさらに増加させることができる。
【０１１２】
図１１Ｃを参照すると、第１及び第２流動（ｂ１，ｂ１’）の流速が第３及び第４流動（ａ１，ａ１’）の流速より速いため、Ｔ１の段階では、溶融した射出物の射出端部が傾いた形状を有することができる。その後、Ｔ２の段階では、第１及び第２流動（ｂ１，ｂ１’）が先に会うことになり、第１リブの長手方向に対応する釣り糸ガイドの参考線（第１リブの長手方向の中心線、Ｍ２）を基準として、Ｖ字状に合わさる。Ｔ３の段階では、反転流（ｘ１，ｘ１’，ｙ１，ｙ１’）が第３及び第４流動（ａ１，ａ１’）の衝突ラインに沿って流れることになり、ウェルドラインの形成が防止される。Ｔ４の段階では、第５及び第６流動（ｃ１，ｃ１’）がリング保持部を形成するように流れることになる。
【０１１３】
第１及び第２流動（ｂ１，ｂ１’）は、金型内で円筒状の経路に沿って円周方向に流れた後に、それぞれ３つの流動に分かれる。第１−２流動（ｙ１）及び第２−２流動（ｙ１’）は、リング支持部の上端及び第１リブの上端を形成するように流れる流動である。第１−３流動（ｘ１）及び第２−３流動（ｘ１’）は、大外径部の上端及び第１リブの下端を形成するように流れる流動である。第５及び第６流動（ｃ１、ｃ１’）は、リング保持部を形成するように流れる流動である。
【０１１４】
第１−２流動（ｙ１）及び第２−２流動（ｙ１’）及び第１−３流動（ｘ１）及び第２−３流動（ｘ１’）は、第３及び第４流動（ａ１，ａ１’）より流速が速いため、第１及び第２流動（ｂ１，ｂ１’）の流れの方向とは反対方向に流れる反転流を形成するようになる。反転流は、リング支持部の上端から小外径部の後端面に向かって流れることになる。即ち、反転流は、第１リブの長手方向の中心線（釣り竿の中心軸に向かう方向、Ｍ２）に沿って、第１リブを形成しながら、第１リブの上端（リング保持孔に隣接した位置）から下端（後端面）に流れることができる。このような反転流は、第３及び第４流動（ａ１，ａ１’）が１８０゜で衝突して、ウェルドラインを形成することを防止することができる。
【０１１５】
図１１Ｃを参照すると、比較例Ａ及び比較例Ｂは、カーボン長繊維強化樹脂の流動が円周方向に沿って流れる２方向の流れのみを有することになり得る。このような２方向の流れは互いに１８０゜で衝突（ＣＯ）して、ウェルドラインを形成することが容易である。これとは異なり、比較例Ｃ及び実施例Ｄは、カーボン長繊維強化樹脂の流動が反転流（ＩＦ）を含む３方向の流れを有することになるため、反転流（ＩＦ）が残りの２方向の流れの１８０°の衝突（ＣＯ）を遮断することになり、ウェルド強度を改善することができる。ここで、反転流（ＩＦ）の流れが速いほど、ウェルドラインの形成が抑制され得る。
【０１１６】
実施例Ｄは、ガイド本体が補強リブを含むため、第１−２（ｙ１）流動及び第２−２流動（ｙ１’）の流れが強化される。従って、実施例Ｄは、補強リブを含まない比較例Ｃに比べて、反転流（ＩＦ）を通じたウェルドラインの抑制程度がさらに大きくなる。
【０１１７】
前述の実施例により、カーボン長繊維強化樹脂の欠点と見られる射出成形時の低いウェルド強度を克服するために、カーボン長繊維強化樹脂の流動をコントロールできる構造を提案することができる。金型内の樹脂の流れを複数に作り、それぞれの速度が異なるように調節する場合、カーボン長繊維強化樹脂のぶつかり合う領域が複雑に絡み合うようになり、ウェルドによる強度低下を解消することができる。これとは異なり、比較例Ａまたは比較例Ｂのように反転流の形成を誘導できなくなり、２方向の流れがぶつかり合うようになると、ぶつかる領域には大きいウェルドラインが発生して、相対的に広い範囲で強度低下が生じ得る。従って、遅い流速の第３及び第４流動（ａ１，ａ１’）と、反転流（ｘ１，ｘ１’）及び反転流（ｙ１，ｙ１’）を作り、流速が異なる種々の樹脂の流れを作ることが必要なこともある。
【０１１８】
このように、樹脂流動の特性を活用すると、円筒部の厚さの最適化を通じて、取付部を形成するために流れるカーボン樹脂の反転流を作り出し、取付部断面のウェルド強度を改善することができる。
【０１１９】
図１２は、本開示の第２実施例による釣り糸ガイド２を製造する過程を流動解析を通じて説明するための図である。
【０１２０】
図１２のＲ１の列を参照すると、比較例Ａ〜Ｃ及び実施例Ｄは、図１０に示す比較例Ａ〜Ｃ及び実施例Ｄと同一である。図１２のＲ２の列を参照すると、図１１Ｂ及び図１１Ｃに示すように、反転流を通じてリング支持部及び第１リブでウェルドラインの形成を防止することができる。図１２のＲ３の列を参照すると、リング保持部の上端にウェルドラインが形成され得るが、リング保持部のリング保持孔にガイドリングが挿入され、接着剤が塗布され得るため、接着剤がウェルドライン上を橋架して、リング保持部の破損が根本的に防止され得る。図１２のＲ４の列では、図１２のＲ１の列に示す比較例Ａ〜Ｃ及び実施例Ｄによる遊動ガイドの骨格を示す。図１２のＲ５の列及びＲ６の列で、ノズルからカーボン長繊維強化樹脂が射出されるゲート位置ＩＰが確認できる。また、図１２のＲ５の列及びＲ６の列を通じて、カーボン長繊維強化樹脂が取付部を形成しながら流れる流動の方向が確認できる。
【０１２１】
図１３は、本開示の第１実施例による釣り糸ガイド１を製造する過程でウェルド強度を改善する過程を説明するための図である。図１３（ａ）〜図１３（ｃ）はそれぞれ、比較例Ａ、Ｂ及びＣを示す斜視図であり、図１３（ｄ）は、本開示による実施例Ｄを示す斜視図である。図１３（ｅ）は、比較例Ａ〜Ｃと実施例Ｄを比較説明するための表である。
【０１２２】
図１３（ａ）を参照すると、比較例Ａは、第１リブ１５ａの先端は取付部の後端面１６１ｂまで延長され得ず、小外径部１６ｂの外周面で軸方向を基準に中間程度で終わるように形成され得る。また、後端面１６１ｂの厚さが均一に構成される。図１３（ｂ）を参照すると、比較例Ｂは比較例Ａと比較して、後端面１６１ｂの厚さが均一に構成されないように、小外径部１６ｂが下側取付部１６１及び下側取付部１６１の両先端から周方向に沿って半径方向の厚さが増加するように構成された上側取付部１６２を含む。図１３（ｃ）を参照すると、比較例Ｃは比較例Ｂと比較して、第１リブ１５ａが後端面１６１ｂまで延長するように構成される。図１３（ｄ）を参照すると、実施例Ｄは、比較例Ｃと比較して、第１〜第３リブ１５ａ，１５ｂ，１５ｃが形成されている。
【０１２３】
実施例Ｄは、本開示の第１実施例による釣り糸ガイド１に対応する実施例であり、比較例Ａ、Ｂ及びＣは、実施例Ｄを導き出す過程で考慮していた代案である。比較例Ａ、Ｂ、Ｃ及び実施例Ｄは、（ｉ）取付部の後端面の厚さの変化、（ｉｉ）取付部の後端面へのリブ１５ａの到達可否、及び（ｉｉｉ）中央リブ及び側方リブ１５ａ，１５ｂ，１５ｃの採用可否で互いに差異を有することができる。比較例Ａは、上記（ｉ）〜（ｉｉｉ）の構成をいずれも含んでいない。比較例Ｂは、（ｉ）の構成のみを含む。比較例Ｃは、（ｉ）及び（ｉｉ）の構成を含む。実施例Ｄは、（ｉ）〜（ｉｉｉ）の構成をいずれも含む。
【０１２４】
取付部の押込耐力を比較すると、比較例Ａに比べて実施例Ｄは１２６％程度向上したことが確認できる。従って、比較例Ａに比べて実施例Ｄの取付部は１２６％以上大きい押込耐力を有することができるため、釣り人が有する最大の力で強く遊動ガイドを釣り竿に押し込んでも、取付部の破損を防止することができる。即ち、実施例Ｄを通じてカーボン長繊維強化樹脂のウェルド強度を改善することができる。
【０１２５】
数値流動解析結果は、比較例Ａから実施例Ｄへ行くほど優れた改善程度を示し、詳細は後述する。
【０１２６】
図１４Ａ〜図１４Ｃは、本開示の第１実施例による釣り糸ガイド１を製造する過程を流動解析を通じて説明するための図である。第１実施例による釣り糸ガイド１は、取付部に該当する部分のみカーボン長繊維強化樹脂で製造される。図１４Ａは、樹脂材料の射出が始まる位置を示す。図１４Ｂは、射出過程で進められる流動の方向を示す。図１４Ｃは、本開示の第１実施例による釣り糸ガイド１を製造する過程の流動解析結果を示す。
【０１２７】
図１４Ａを参照すると、取付部１ｂを形成するために、ゲート位置（ＩＰ）は、大外径部１６ａの下端に位置することができる。ノズル（Ｎ）から溶融状態で注入されたカーボン長繊維強化樹脂は、金型内で、大外径部１６ａに対応する部分を経て小外径部１６ｂに対応する部分に流れ、次に結合部１８に対応する部分に流れることができる。
【０１２８】
図１４Ｂを参照すると、ゲート位置（ＩＰ）から始まるカーボン長繊維強化樹脂の流動は、金型内で多数の流動の流れ（ｂ２，ｂ２’，ａ２，ａ２’，ｃ２，ｃ２’）に分かれることができる。第１及び第２流動（ｂ２，ｂ２’）は、ゲート位置（ＩＰ）から大外径部（内円部分）を形成するように流れる流動と定義されることができる。第３及び第４流動（ａ２，ａ２’）は、ゲート位置（ＩＰ）から小外径部を形成するように流れる流動と定義されることができる。第５及び第６流動（ｃ２，ｃ２’）は、前方結合部を形成するように流れる流動と定義されることができる。
【０１２９】
図１４Ｂに示す釣り糸ガイドの姿勢のような状態で金型に対してカーボン長繊維強化樹脂の射出成形が進められるため、第３及び第４流動（ａ２，ａ２’）は、重力方向に対する反対方向への流路を先に流れることになり、相当な流速の損失が発生する。従って、第３及び第４流動（ａ２，ａ２’）は、第１及び第２流動（ｂ２，ｂ２’）に比べて相当遅い流速を有する。
【０１３０】
小外径部を形成するように第３及び第４流動（ａ２，ａ２’）が流れながら、半径方向の厚さが次第に増加する上側取付部部分が形成され得る。下側取付部より半径方向の厚さが厚い上側取付部部分を製造するために、金型に形成されたチャネルの間隔もこれに対応して広くなるため、前記チャネルを通過する射出物の流速が減少することができる。これを通じて、第３及び第４流動（ａ２、ａ２’）の流速と第１及び第２流動（ｂ２，ｂ２’）の流速の差をさらに増加させることができる。
【０１３１】
第１及び第２流動（ｂ２，ｂ２’）は、金型内で円筒状の経路に沿って円周方向に流れた後に、それぞれ３つの流動に分かれる。第１−２流動（ｙ２）及び第２−２流動（ｙ２’）は、結合部の上端及び第１リブの上端を形成するように流れる流動である。第１−３流動（ｘ２）及び第２−３流動（ｘ２’）は、大外径部の上端及び第１リブの下端を形成するように流れる流動である。
【０１３２】
第１−２流動（ｙ２）及び第２−２流動（ｙ２’）及び第１−３流動（ｘ２）及び第２−３流動（ｘ２’）は、第３及び第４流動（ａ２，ａ２’）より流速が速いため、第１及び第２流動（ｂ２，ｂ２’）の流れの方向とは反対方向に流れる反転流を形成するようになる。反転流は、結合部の上端から小外径部の後端面に向かって流れることになる。即ち、反転流は、第１リブの長手方向の中心線（釣り竿の中心軸に向かう方向、Ｍ２）に沿って、第１リブを形成しながら、第１リブの上端（リング保持孔に隣接した位置）から下端（後端面）に流れることができる。このような反転流は、第３及び第４流動（ａ２，ａ２’）が１８０゜で衝突して、ウェルドラインを形成することを防止することができる。
【０１３３】
図１４Ｃを参照すると、比較例Ａ及び比較例Ｂは、カーボン長繊維強化樹脂の流動が円周方向に沿って流れる２方向の流れのみを有することになり得る。このような２方向の流れは互いに１８０゜で衝突して、ウェルドラインを形成することが容易である。これとは異なり、比較例Ｃ及び実施例Ｄは、カーボン長繊維強化樹脂の流動が反転流を含む３方向の流れを有することになるため、反転流が残りの２方向の流れの１８０°の衝突を遮断することになり、ウェルド強度を改善することができる。ここで、反転流の流れが速いほど、ウェルドラインの形成が抑制され得る。
【０１３４】
図１４Ｃを参照すると、比較例Ａ〜比較例Ｃ及び実施例Ｄは、図１３に示す比較例Ａ〜比較例Ｃ及び実施例Ｄと同一である。図１４ＣのＲ３の列では図１４ＣのＲ１の列に示す比較例Ａ〜比較例Ｃ及び実施例Ｄによる遊動ガイドの骨格を示す。図１４ＣのＲ４の列及びＲ５列で、ノズルからカーボン長繊維強化樹脂が射出されるゲート位置（ＩＰ）が確認できる。また、図１４ＣのＲ４の列及びＲ５の列を通じて、カーボン長繊維強化樹脂が取付部を形成しながら流れる流動の方向が確認できる。図１４ＣのＲ２の列を参照すると、実施例Ｄは、第１リブが小外径部の端部まで延長されるように形成され、上側取付部の厚さを下側取付部の厚さより厚く形成して反転流の形成を最大化させることができる。これにより、実施例Ｄで取付部にウェルドラインの形成を抑制することができ、ウェルド強度が改善され得る。
【０１３５】
図１５は、本開示の第１実施例による釣り糸ガイド１に提供された回転耐力を向上するための構造を説明するための図である。図１５（ａ）では、釣り糸ガイド１の斜視図を示す。図１５（ｂ）は、釣り糸ガイド１の正面図を示す。図１５（ｄ）は、比較例によるセレーション１７’を示す。図１５（ｃ）は、実施例によるセレーション１７を示す。
【０１３６】
釣り糸ガイドが、釣り中に釣り竿に対して回転すると、まともな釣りの進行に妨げとなることがある。また、釣り糸ガイドの回転は、釣り竿の破損や釣り糸の糸絡みにつながることがある。これにより、子供や女性のように力の弱い人が遊動ガイドを釣り竿に設置しても、遊動ガイドに十分な回転耐力を確保することができる構造を提供する必要がある。
【０１３７】
図１５（ｂ）を参照すると、釣り糸ガイドで、取付部の内周面には、回転耐力の向上のために、チップ１７１が備えられた複数のセレーション１７が形成され得る。即ち、取付部の内周面には、ローレット状（Ｋｎｕｒｌｉｎｇ  ｓｈａｐｅ）が採用されることができる。
【０１３８】
図１５（ｃ）を参照すると、取付部の材料をカーボン長繊維強化樹脂で構成する場合、強度が大きく向上し、セレーションのチップの座屈が防止され得る。即ち、ローレット先端の座屈を防止することが可能になる。従って、ユーザーが強く取付部を釣り竿に押し込んでも、セレーションのチップが潰れないため、とがったチップの形状が維持され、取付部の釣り竿に対する回転耐力を向上させることができる。
【０１３９】
図１５（ｄ）を参照すると、比較例では取付部の材料をポリオキシメチレン（ｐｏｌｙｏｘｙｍｅｔｈｙｌｅｎ，ＰＯＭ）樹脂で構成することができる。この場合、釣り糸ガイドを釣り竿に押し込む際に、三角形状のセレーションのチップに座屈が発生し、図１５（ｄ）のようにチップが平らに潰れたセレーション１７’が形成され得る。このようにチップが平らに潰れると、取付部の回転耐力の低下をもたらし得る。即ち、ユーザーが強く取付部を釣り竿に押し込むと、セレーション１７’の様にチップが平らに潰れる現象が発生し得る。
【０１４０】
図１６は、本開示の第１実施例による釣り糸ガイド１を構成する材料を説明するための図面であり、図１７は、本開示の第１実施例による釣り糸ガイド１を構成する材料の特性を説明するための図である。
【０１４１】
図１６を参照すると、比較例のリングサポートをなす金属フレームは、チタン合金を用い、第１実施例による釣り糸ガイド１であるＴＣ−モデルのリングサポートをなす金属フレームは、純チタンを用いることができる。また、比較例の取付部は、ＰＯＭを用い、ＴＣ−モデルの取付部は、カーボン長繊維強化樹脂を用いることができる。
【０１４２】
図６及び図１７を参照すると、カーボン長繊維強化樹脂の比重が、残りの材料に比べて最も小さいことが確認でき、カーボン長繊維強化樹脂の引張強度は、ＰＯＭの引張強度の略３．９倍であることが確認できる。また、図６を参照すると、カーボン長繊維強化樹脂の曲げ強度は、ＰＯＭの曲げ強度の略３．５倍であることが確認できる。本開示の実施例において、取付部がカーボン長繊維強化樹脂で形成される場合、ユーザーが強い力で取付部を釣り竿に押し込むとしても、取付部の内周面に形成されたセレーションが座屈されずに形状を維持することができる。
【０１４３】
図１８は、本開示の第１実施例による釣り糸ガイドにカーボン長繊維強化樹脂を用いて、回転耐力が向上した程度を説明するための図である。
【０１４４】
評価釣り竿として、アテンダー（商標名、釣り竿の一種）１．５−５３（細部モデル名）に、本開示の多様な実施例による釣り糸ガイド１，２、３を押し込んで取り付けて用いる。評価方法として、過度なフッキングを仮定し、釣り糸ガイドを釣り竿に対して９０゜横方向に回転負荷を加える様に、釣竿を１００回連続して９０°横方向に撓ませる動作（２．５ｋｇｆ〜３．０ｋｇｆの負荷）をして、釣り竿に対する釣り糸ガイドの回転有無を確認する。
【０１４５】
図１８を参照すると、釣り糸ガイドのサイズ別に、表示された押込荷重で押し込んだ後の釣糸ガイドの回転有無に対する評価結果が表示されている。ここで、「○」と表示された領域は、当該押込荷重で釣糸ガイドを釣り竿に取り付けて回転防止が成功した場合を示し、「×」と表示された領域は、回転防止が失敗した場合を示す。図１８において、「○」または「×」表示とともに特定の釣糸ガイドの回転耐力数値が記載されているセルがある。例えば、比較例の４．５−５．０サイズに対する行を参照すると、回転耐力が０．４の時には「×」表示がされており、回転防止が失敗した場合を示し、回転耐力が０．８の時には「○」表示がされており、回転防止が成功した場合を示す。
【０１４６】
例えば、比較例の４．５−５．０サイズの場合、１．０ｋｇｆの押込荷重にて、回転耐力が０．４ｋｇｆの時には回転防止に失敗するはずであり、２．０ｋｇｆの押込荷重にて、回転耐力が０．８ｋｇｆの時には回転防止に成功するものと予想される。他の例として、ＴＣ−モデルの９Ｈ−１４．２サイズの場合、１．０ｋｇｆの押込荷重にて、回転耐力が０．６ｋｇｆの時には回転防止に失敗するはずであり、２．０ｋｇｆの押込荷重にて、回転耐力が１．２ｋｇｆの時には回転防止に成功するものと予想される。
【０１４７】
図１８のＢ１及びＢ２の領域を参照すると、Ｂ１及びＢ２の領域はいずれも、回転防止が成功した場合を示す。本開示の多様な実施例による大部分のサイズの釣り糸ガイドは略２．０ｋｇｆに近接した押込荷重を適用すれば、釣り竿に対する釣り糸ガイドの回転を防止することが可能である。
【０１４８】
釣り糸ガイドを釣り竿に押し込む際に、ＰＯＭは材料強度が低いため、ローレット先端が潰れて座屈するのに対し、カーボン長繊維強化樹脂は材料強度が高いため、ローレット先端が潰れず、ローレット先端が釣り竿の塗装面に食いつくスパイク効果を発生させることができる。従って、釣り竿のフッキングの際に、釣り糸ガイドの取付部の回転耐力が向上することができる。
【０１４９】
以上、一部実施例と添付の図面に示す例によって本開示の技術的思想が説明されたものの、本開示が属する技術分野で通常の知識を有する者が理解できる本開示の技術的思想及び範囲を逸脱しない範囲で多様な置換、変形及び変更がなされ得るという点を知らなければならない。また、そのような置換、変形及び変更は、添付の請求の範囲内に属するものと考えられるべきである。
【符号の説明】
【０１５０】
１，２，３  釣り糸ガイド、２０，３０  ガイド本体、１ａ，２０ａ，３０ａ  リングサポート、１１，２１，３１  リング保持部、１２，２２，３２  ガイドリング、１３，２９，３９  リング支持部、１ｂ，２３，３３  取付部、１０ｂ，２７，３７  ボア、１５ａ，２５，３５  第１リブ、１５ｂ  第２リブ、１５ｃ  第３リブ、１ｂ，２３，３３  取付部、１７：セレーション。
【図１】
2019142624.tif 000003
【図２Ａ】
2019142624.tif 000004
【図２Ｂ】
2019142624.tif 000005
【図２Ｃ】
2019142624.tif 000006
【図３Ａ】
2019142624.tif 000007
【図３Ｂ】
2019142624.tif 000008
【図３Ｃ】
2019142624.tif 000009
【図４Ａ】
2019142624.tif 000010
【図４Ｂ】
2019142624.tif 000011
【図４Ｃ】
2019142624.tif 000012
【図４Ｄ】
2019142624.tif 000013
【図５Ａ】
2019142624.tif 000014
【図５Ｂ】
2019142624.tif 000015
【図５Ｃ】
2019142624.tif 000016
【図６】
2019142624.tif 000017
【図７】
2019142624.tif 000018
【図８】
2019142624.tif 000019
【図９】
2019142624.tif 000020
【図１０】
2019142624.tif 000021
【図１１Ａ】
2019142624.tif 000022
【図１１Ｂ】
2019142624.tif 000023
【図１１Ｃ】
2019142624.tif 000024
【図１２】
2019142624.tif 000025
【図１３】
2019142624.tif 000026
【図１４Ａ】
2019142624.tif 000027
【図１４Ｂ】
2019142624.tif 000028
【図１４Ｃ】
2019142624.tif 000029
【図１５】
2019142624.tif 000030
【図１６】
2019142624.tif 000031
【図１７】
2019142624.tif 000032
【図１８】
2019142624.tif 000033
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
釣り竿の管状竿に取り付けられて釣り糸を案内する釣り糸ガイドであって、
環状の取付部と、
釣り糸が通るガイドリングと、
金属製の薄板からなり前記取付部と部分的に結合されて前記ガイドリングを支持するリングサポートと、を含み、
前記リングサポートは、前記ガイドリングが結合されるリング保持孔を有するリング保持部と、前記リング保持部と一体に形成されて前記取付部に部分的に埋め込まれて前記取付部と結合されるリング支持部と、を含み、
前記取付部は、前記リングサポートを金型内のインサートとして長さが５ｍｍ〜１０ｍｍであるカーボン長繊維を含むカーボン長繊維強化樹脂材料からインサート射出されて前記リングサポートの前記リング支持部を部分的に取り囲むように形成される、
釣り糸ガイド。
【請求項２】
前記カーボン長繊維は、前記カーボン長繊維強化樹脂材料の全重量の２０〜４０重量％を有する、
請求項１に記載の釣り糸ガイド。
【請求項３】
前記取付部は、前記管状竿の外周面に嵌合される環状体と、前記環状体の外周面に外側半径方向に突出するように形成された第１リブとを含む、
請求項１に記載の釣り糸ガイド。
【請求項４】
前記環状体は、前記釣り竿のバットに向かう後方方向に位置し、前記第１リブが形成された小外径部と、前記小外径部より大きい外径を有し、前記リング支持部の下側一部が埋め込まれる大外径部とを含む、
請求項３に記載の釣り糸ガイド。
【請求項５】
前記第１リブは、前記釣り竿のバットに向かう後方方向に前記小外径部の後端面まで延長するように形成される、
請求項４に記載の釣り糸ガイド。
【請求項６】
前記第１リブは、前記大外径部の外側半径方向の先端から前記小外径部の後端面に向かって傾斜するように形成された外周面を有する、
請求項４に記載の釣り糸ガイド。
【請求項７】
前記第１リブの外周面に含まれた長手方向の中心線は、前記釣り竿の中心軸と所定の角度を形成する、
請求項６に記載の釣り糸ガイド。
【請求項８】
前記第１リブは、前記釣り竿のバットに向かう前記第１リブの後端から前記釣り竿のチップに向かう前記第１リブの前端へ行くほど拡大する幅を有する、
請求項３に記載の釣り糸ガイド。
【請求項９】
前記取付部は、前記第１リブに対して周方向に離隔されるように配置され、前記環状体の外周面に外側半径方向にそれぞれ突出するように形成された第２及び第３リブをさらに含む、
請求項３に記載の釣り糸ガイド。
【請求項１０】
前記取付部の内周面には周方向に配列され前記釣り竿の中心軸の方向に延長する複数のセレーションが形成された、
請求項１に記載の釣り糸ガイド。
【請求項１１】
前記複数のセレーションは、先端にチップが形成されるように三角形状の断面を有する、
請求項１０に記載の釣り糸ガイド。
【請求項１２】
前記取付部は、周方向に沿って一定の厚さを有する下側取付部と、前記下側取付部の両先端から周方向に沿って厚さが増加するように構成された上側取付部と含む、
請求項１に記載の釣り糸ガイド。
【請求項１３】
釣り竿の管状竿に取り付けられて釣り糸を案内する釣糸ガイドであって、
釣り糸が通るガイドリングと、
前記ガイドリングを支持するガイド本体と、を含み、
前記ガイド本体は、
環状の取付部と、
前記ガイドリングを支持するリングサポートと、を含み、
前記リングサポートは、前記ガイドリングが結合されるリング保持孔を有するリング保持部と、前記取付部と前記リング保持部との間に形成されるリング支持部と、を含み、
前記ガイド本体は長さが５ｍｍ〜１０ｍｍであるカーボン長繊維を含むカーボン長繊維強化樹脂材料から一体に形成され、
前記取付部は、前記管状竿の外周面に嵌合される環状体と、前記釣り竿のチップに向かう前端が前記リング支持部と繋がるように前記環状体の外周面に外側半径方向に突出した第１リブとを含み、
前記取付部は、前記リング支持部から延長形成された大外径部と、前記大外径部から前記釣り竿のバット方向に延長形成された小外径部を含む、
釣り糸ガイド。
【請求項１４】
前記リング支持部には、前記リングサポートの幅方向の中心線を基準に対称する２つの開口が形成される、
請求項１３に記載の釣り糸ガイド。
【請求項１５】
前記リング支持部は、前記２つの開口の一部の縁をそれぞれ構成するように前記取付部の外周面から突出した２つの補強リブを含む、
請求項１４に記載の釣り糸ガイド。
【請求項１６】
（削除）
【請求項１７】
前記第１リブは、前記釣り竿のバットに向かう後方方向に前記環状体の後端面まで延長するように形成される、
請求項１３に記載の釣り糸ガイド。
【請求項１８】
前記第１リブは、前記リング支持部の外側半径方向の先端から前記環状体の後端面に向かって傾斜するように形成された外周面を有し、
前記第１リブの外周面に含まれた長手方向の中心線は、前記釣り竿の中心軸と所定の角度を形成する、
請求項１７に記載の釣り糸ガイド。
【請求項１９】
前記取付部を形成するために、前記カーボン長繊維強化樹脂材料を射出成形し始めるゲート位置は、前記大外径部の下端に位置し、
前記小外径部は、周方向に沿って一定の厚さを有する下側取付部と、前記下側取付部の両先端から周方向に沿って厚さが増加するように構成された上側取付部とを含み、
前記上側取付部は、前記第１リブと繋がるように形成された、
請求項１３に記載の釣り糸ガイド。
【請求項２０】
前記取付部の内周面は、前記釣り竿の中心軸の方向と並んで配置される複数の平らな面で構成される、
請求項１３に記載の釣り糸ガイド。
【請求項２１】
複数の管状竿と、
前記管状竿の１つに取り付けられる請求項１〜請求項１５および請求項１７〜請求項２０のいずれか１項に記載の釣り糸ガイドとを含む、
釣り竿。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
釣り竿の管状竿に取り付けられて釣り糸を案内する釣り糸ガイドであって、
環状の取付部と、
釣り糸が通るガイドリングと、
金属製の薄板からなり前記取付部と部分的に結合されて前記ガイドリングを支持するリングサポートと、を含み、
前記リングサポートは、前記ガイドリングが結合されるリング保持孔を有するリング保持部と、前記リング保持部と一体に形成されて前記取付部に部分的に埋め込まれて前記取付部と結合されるリング支持部と、を含み、
前記取付部は、前記リングサポートを金型内のインサートとして長さが５ｍｍ〜１０ｍｍであるカーボン長繊維を含むカーボン長繊維強化樹脂材料からインサート射出されて前記リングサポートの前記リング支持部を部分的に取り囲むように形成される、
釣り糸ガイド。
【請求項２】
前記カーボン長繊維は、前記カーボン長繊維強化樹脂材料の全重量の２０〜４０重量％を有する、
請求項１に記載の釣り糸ガイド。
【請求項３】
前記取付部は、前記管状竿の外周面に嵌合される環状体と、前記環状体の外周面に外側半径方向に突出するように形成された第１リブとを含む、
請求項１に記載の釣り糸ガイド。
【請求項４】
前記環状体は、前記釣り竿のバットに向かう後方方向に位置し、前記第１リブが形成された小外径部と、前記小外径部より大きい外径を有し、前記リング支持部の下側一部が埋め込まれる大外径部とを含む、
請求項３に記載の釣り糸ガイド。
【請求項５】
前記第１リブは、前記釣り竿のバットに向かう後方方向に前記小外径部の後端面まで延長するように形成される、
請求項４に記載の釣り糸ガイド。
【請求項６】
前記第１リブは、前記大外径部の外側半径方向の先端から前記小外径部の後端面に向かって傾斜するように形成された外周面を有する、
請求項４に記載の釣り糸ガイド。
【請求項７】
前記第１リブの外周面に含まれた長手方向の中心線は、前記釣り竿の中心軸と所定の角度を形成する、
請求項６に記載の釣り糸ガイド。
【請求項８】
前記第１リブは、前記釣り竿のバットに向かう前記第１リブの後端から前記釣り竿のチップに向かう前記第１リブの前端へ行くほど拡大する幅を有する、
請求項３に記載の釣り糸ガイド。
【請求項９】
前記取付部は、前記第１リブに対して周方向に離隔されるように配置され、前記環状体の外周面に外側半径方向にそれぞれ突出するように形成された第２及び第３リブをさらに含む、
請求項３に記載の釣り糸ガイド。
【請求項１０】
前記取付部の内周面には周方向に配列され前記釣り竿の中心軸の方向に延長する複数のセレーションが形成された、
請求項１に記載の釣り糸ガイド。
【請求項１１】
前記複数のセレーションは、先端にチップが形成されるように三角形状の断面を有する、
請求項１０に記載の釣り糸ガイド。
【請求項１２】
前記取付部は、周方向に沿って一定の厚さを有する下側取付部と、前記下側取付部の両先端から周方向に沿って厚さが増加するように構成された上側取付部と含む、
請求項１に記載の釣り糸ガイド。
【請求項１３】
釣り竿の管状竿に取り付けられて釣り糸を案内する釣糸ガイドであって、
釣り糸が通るガイドリングと、
前記ガイドリングを支持するガイド本体と、を含み、
前記ガイド本体は、
環状の取付部と、
前記ガイドリングを支持するリングサポートと、を含み、
前記リングサポートは、前記ガイドリングが結合されるリング保持孔を有するリング保持部と、前記取付部と前記リング保持部との間に形成されるリング支持部と、を含み、
前記ガイド本体は長さが５ｍｍ〜１０ｍｍであるカーボン長繊維を含むカーボン長繊維強化樹脂材料から一体に形成され、
前記取付部は、前記管状竿の外周面に嵌合される環状体と、前記釣り竿のチップに向かう前端が前記リング支持部と繋がるように前記環状体の外周面に外側半径方向に突出した第１リブとを含み、
前記取付部は、前記リング支持部から延長形成された大外径部と、前記大外径部から前記釣り竿のバット方向に延長形成された小外径部を含む、
釣り糸ガイド。
【請求項１４】
前記リング支持部には、前記リングサポートの幅方向の中心線を基準に対称する２つの開口が形成される、
請求項１３に記載の釣り糸ガイド。
【請求項１５】
前記リング支持部は、前記２つの開口の一部の縁をそれぞれ構成するように前記取付部の外周面から突出した２つの補強リブを含む、
請求項１４に記載の釣り糸ガイド。
【請求項１６】
前記第１リブは、前記釣り竿のバットに向かう後方方向に前記環状体の後端面まで延長するように形成される、
請求項１３に記載の釣り糸ガイド。
【請求項１７】
前記第１リブは、前記リング支持部の外側半径方向の先端から前記環状体の後端面に向かって傾斜するように形成された外周面を有し、
前記第１リブの外周面に含まれた長手方向の中心線は、前記釣り竿の中心軸と所定の角度を形成する、
請求項１６に記載の釣り糸ガイド。
【請求項１８】
前記取付部を形成するために、前記カーボン長繊維強化樹脂材料を射出成形し始めるゲート位置は、前記大外径部の下端に位置し、
前記小外径部は、周方向に沿って一定の厚さを有する下側取付部と、前記下側取付部の両先端から周方向に沿って厚さが増加するように構成された上側取付部とを含み、
前記上側取付部は、前記第1リブと繋がるように形成された、
請求項１３に記載の釣り糸ガイド。
【請求項１９】
前記取付部の内周面は、前記釣り竿の中心軸の方向と並んで配置される複数の平らな面で構成される、
請求項１３に記載の釣り糸ガイド。
【請求項２０】
複数の管状竿と、
前記管状竿の１つに取り付けられる請求項１〜請求項１９のいずれか１項に記載の釣り糸ガイドとを含む、
釣り竿。
【国際調査報告】
2019142624.tif 000034
2019142624.tif 000035
2019142624.tif 000036